(57)【要約】【課題】衣類乾燥運転と暖房運転とを同時に行うことができる衣類乾燥機を提供する。【解決手段】衣類Ｗを収容する衣類乾燥室７と、衣類乾燥室７内に供給する空気を加熱する衣類乾燥用熱交換器１７と、衣類乾燥用熱交換器１７に熱媒を供給する熱媒供給管２６と、衣類乾燥用熱交換器１７により加熱された空気を衣類乾燥室７内に流動させると共に衣類乾燥室７内の湿気を強制的に排出させる衣類乾燥用ファン装置１５とを筐体２の内部に備える。熱媒供給管２６から分岐して延びる暖房用熱媒管３３と、暖房用熱媒管３３から熱媒が供給される暖房用熱交換器３６と、暖房用熱交換器３６により加熱された空気を強制的に送出する暖房用ファン装置３７とを筐体２の内部に備える。【選択図】図２
2020028642.tif 000002
【特許請求の範囲】
【請求項１】
衣類を収容する衣類乾燥室と、該衣類乾燥室内に供給する空気を加熱する衣類乾燥用熱交換器と、該衣類乾燥用熱交換器に熱媒を供給する熱媒供給管と、前記衣類乾燥用熱交換器により加熱された空気を前記衣類乾燥室内に流動させると共に前記衣類乾燥室内の湿気を強制的に排出させる衣類乾燥用ファン装置とを筐体の内部に備える衣類乾燥機において、
前記熱媒供給管から分岐して延びる暖房用熱媒管と、
該暖房用熱媒管から熱媒が供給される暖房用熱交換器と、
該暖房用熱交換器により加熱された空気を強制的に送出する暖房用ファン装置とを前記衣類乾燥室と隔離させて前記筐体の内部に備えることを特徴とする衣類乾燥機。
【請求項２】
前記筐体には、底面の下方に空隙を形成する脚部が設けられ、
前記筐体の底面には、前記衣類乾燥用熱交換器によって加熱される空気を取り入れる乾燥用空気取り入れ口と、前記暖房用熱交換器によって加熱される空気を取り入れる暖房用空気取り入れ口とが形成され、
前記両取り入れ口を共に覆うフィルタ部材が着脱自在に設けられていることを特徴とする請求項１記載の衣類乾燥機。
【請求項３】
前記筐体の底面には、前記暖房用熱交換器により加熱された空気の吹き出し口が形成されており、
前記フィルタ部材は、前記吹き出し口に対応する位置に、前記吹き出し口から吹き出す暖房用空気を前方の斜め下方に案内する案内部を備えていることを特徴とする請求項２記載の衣類乾燥機。
【発明の詳細な説明】
【技術分野】
【０００１】
本発明は、暖房機能を有する衣類乾燥機に関する。
【背景技術】
【０００２】
衣類乾燥機は、衣類乾燥室として設けられた回転ドラムの内部に、洗濯後の衣類（所謂洗濯物であってタオルやシーツ等の布製品を含む）を収容し、回転ドラムを回転させつつ内部に温風を通過させて衣類を乾燥させる。このとき、回転ドラムの内部の衣類から生じる湿気は、排湿ファンにより回転ドラム内部から強制的に排出される。
【０００３】
ところで、この種の衣類乾燥機において、当該衣類乾燥機が設置されている脱衣室等を暖房することができる暖房機能を備えるものが提案されている（下記特許文献１参照）。この衣類乾燥機は、衣類乾燥機内で加熱した空気を排湿ダクトを介して室内に放出させることができ、これによって当該室内を暖房することが可能となっている。
【先行技術文献】
【特許文献】
【０００４】
【特許文献１】特開２０００−２５７８９４号公報
【発明の概要】
【発明が解決しようとする課題】
【０００５】
上記従来の衣類乾燥機の構成では、暖房用空気は回転ドラム内部を通って排出されるが、暖房運転中に回転ドラム内に衣類を収容した衣類乾燥運転を行うと、衣類から生じた湿気が室内に放出され、室内の湿度が過剰に上昇してしまう不都合があるため、暖房機能を使用する時には、衣類の乾燥を行えないようにしている。
【０００６】
しかし、暖房運転中に衣類乾燥運転を行うことができないために使い勝手が悪い。
【０００７】
上記の点に鑑み、本発明は、衣類乾燥運転と暖房運転とを同時に行うことができる衣類乾燥機を提供することを目的とする。
【課題を解決するための手段】
【０００８】
かかる目的を達成するために、本発明は、衣類を収容する衣類乾燥室と、該衣類乾燥室内に供給する空気を加熱する衣類乾燥用熱交換器と、該衣類乾燥用熱交換器に熱媒を供給する熱媒供給管と、前記衣類乾燥用熱交換器により加熱された空気を前記衣類乾燥室内に流動させると共に前記衣類乾燥室内の湿気を強制的に排出させる衣類乾燥用ファン装置とを筐体の内部に備える衣類乾燥機において、前記熱媒供給管から分岐して延びる暖房用熱媒管と、該暖房用熱媒管から熱媒が供給される暖房用熱交換器と、該暖房用熱交換器により加熱された空気を強制的に送出する暖房用ファン装置とを前記衣類乾燥室と隔離させて前記筐体の内部に備えることを特徴とする。
【０００９】
上記構成によれば、衣類乾燥運転を行うとき、衣類乾燥用熱交換器により加熱した乾燥用空気を衣類乾燥用ファン装置によって衣類乾燥室内に送り込む。一方、暖房運転を行うときには、暖房用熱交換器により加熱した暖房用空気を暖房用ファン装置によって衣類乾燥室を通らずに送出する。従って、本発明によれば、衣類乾燥運転と暖房運転とを同時に行うことができる。しかも、暖房用熱交換器には、衣類乾燥用熱交換器に熱媒を供給する熱媒供給管から分岐する暖房用熱媒管が接続されているので、熱媒供給管にのみ熱媒を供給する配管施工を行うだけでよく、配管にかかる工事費用を抑えることができる。
【００１０】
本発明において、前記筐体には、底面の下方に空隙を形成する脚部が設けられ、前記筐体の底面には、前記衣類乾燥用熱交換器によって加熱される空気を取り入れる乾燥用空気取り入れ口と、前記暖房用熱交換器によって加熱される空気を取り入れる暖房用空気取り入れ口とが形成され、前記両取り入れ口を共に覆うフィルタ部材が着脱自在に設けられていることを特徴とする。
【００１１】
本発明によれば、乾燥用空気取り入れ口と暖房用空気取り入れ口とを筐体の底面に形成したことにより、フィルタ部材で両取り入れ口を同時に覆うができ、構造簡単として製造コスト等を抑えることができる。なお、筐体の底面の下方には脚部によって空隙が形成されているので、筐体外部から両取り入れ口への空気の流れが円滑に行われ、乾燥用空気及び暖房用空気の生成を効率よく行うことができる。
【００１２】
更に、前記筐体の底面には、前記暖房用熱交換器により加熱された空気の吹き出し口が形成されており、前記フィルタ部材は、前記吹き出し口に対応する位置に、前記吹き出し口から吹き出す暖房用空気を前方の斜め下方に案内する案内部を備えていることを特徴とする。
【００１３】
例えば、暖房用空気を天井から下方に吹出すことにより室内の暖房を行うと、暖房用空気が床面近傍に到達し難く、暖房効率が悪い。
【００１４】
これに対して、本発明は、筐体の底面に暖房用空気の吹き出し口を形成し、更に、案内部によって暖房用空気を前方の斜め下方に案内する。これにより、暖房用空気を天井から下方に吹出す場合に比べて、暖房用空気が床面近傍に到達し易く、暖房効率を向上させることができる。
【００１５】
また、例えば、筐体を設置台上に設置するとき、筐体の底面に暖房用空気の吹き出し口が形成されていると、暖房用空気の流れは設置台の上面に向くため暖房用空気の室内拡散が阻害されるおそれがある。
【００１６】
これに対して、本発明は、案内部が吹き出し口から吹き出す暖房用空気を前方の斜め下方に案内するので、設置台の上面に向く暖房用空気の流れを抑制することができ、暖房効率の低下を防止することができる。
【図面の簡単な説明】
【００１７】
【図１】本発明の実施形態の衣類乾燥機の外観を示す斜視図。
【図２】本実施形態の衣類乾燥機の構成を模式的に示す説明図。
【図３】本実施形態の衣類乾燥機の要部を示す説明的断面図。
【図４】コントローラの機能的構成を示すブロック図。
【発明を実施するための形態】
【００１８】
本発明の実施形態を図面に基づいて説明する。本実施形態の衣類乾燥機１は、図１に示す筐体２を備えている。筐体２には、底部の四隅部に取り付けられた脚部材３(脚部)と、底部を覆うフィルタ部材４とが設けられている。また、筐体２の前面には、円形で片開き式の扉５と、複数の操作スイッチ群や表示器等を備える操作パネル部６とが設けられている。
【００１９】
次に、衣類乾燥機１の概略構成を説明する。図２に示すように、筐体２の内部には、回転ドラム７が設けられている。回転ドラム７は、本発明の衣類乾燥室に相当する。筐体２の正面側には衣類投入口８が開設されている。衣類投入口８は筐体２の前面の扉５が覆っている。衣類投入口８の内側には、回転ドラム７が回動自在な状態で支持されている。
【００２０】
回転ドラム７は、回転軸線（図示省略）が水平方向となる姿勢で設けられている。筐体２の衣類投入口８側を向く回転ドラム７の端部には、正面開放部９が形成されている。正面開放部９の外周は、リング板１０によって回動自在な状態で筐体２に支持されている。
【００２１】
回転ドラム７の奥壁１１には、筐体２の支持軸１２が連結されている。回転ドラム７の奥壁１１は、図示しない糸くずフィルタが取り付けられ、回転ドラム７の内外で空気が通過自在となっている。
【００２２】
回転ドラム７の奥壁１１の外側（背面側）には、回転ドラム７内の空気を筐体２の外部へ導く排湿路１３が設けられている。
【００２３】
排湿路１３は、回転ドラム７の奥壁１１の外側から筐体２の上部の排湿口１４へ向かって延設されている。排湿路１３内には、排湿ファン１５（衣類乾燥用ファン装置）が組み込まれている。
【００２４】
排湿ファン１５は、その回転により回転ドラム７内の空気を排出すると共に、回転ドラム７内に温風を引き込む気流を発生させる。筐体２の底面には乾燥用空気取り入れ口１６が形成されている。排湿ファン１５が回転すると、外気が乾燥用空気取り入れ口１６から筐体２の内部へ取り込まれる。このとき脚部材３によって筐体２の底部の下方に適度な空隙が形成されるので、筐体２の底面に形成された乾燥用空気取り入れ口１６からの外気の取り入れが円滑に行える。
【００２５】
筐体２の内部へ取り込まれた外気は、衣類乾燥用空気として後述する衣類乾燥用熱交換器１７を通過し加熱される。衣類乾燥用熱交換器１７で加熱された衣類乾燥用空気は回転ドラム７内へ送られる。
【００２６】
そして、回転ドラム７の内部で衣類Ｗの湿気を吸収し、衣類Ｗを乾燥させる。この時回転ドラム７内で発生した湿気は排湿路１３へ送出され、排湿口１４に接続されている図示しない排湿ダクトから筐体２外（例えば屋外）に排出される。
【００２７】
筐体２内には、回転ドラム７および排湿ファン１５を回転させるための乾燥モータ１８と、外気を加熱して衣類乾燥用空気を生成する衣類乾燥用熱交換器１７と、衣類乾燥用空気を回転ドラム７内へ導く乾燥用空気導入路１９とが設けられている。乾燥モータ１８の駆動や衣類乾燥用熱交換器１７への温水供給は、コントローラ２０により制御される。
【００２８】
乾燥モータ１８は、二つの駆動軸（第１駆動軸２１、第２駆動軸２２）を備えている。第１駆動軸２１の回転力は、第１伝動ベルト２３を介して回転ドラム７へ伝達され、回転ドラム７を回転させる。
【００２９】
回転ドラム７の回転は、内部に収容されている衣類Ｗを定位置に止めることなく常に動かすために行われる。第２駆動軸２２の回転力は、第２伝動ベルト２４を介して排湿ファン１５へ伝達され、排湿ファン１５を回転させる。
【００３０】
排湿ファン１５の回転により、回転ドラム７内部に気流が形成される。以上の構成から、筐体２の内部には、乾燥用空気取り入れ口１６を上流端とする乾燥用空気導入路１９と排湿口１４を下流端とする排湿路１３とで、衣類乾燥用空気路２５が形成される。
【００３１】
衣類乾燥用熱交換器１７は、回転ドラム７の下方に配設されている。衣類乾燥用熱交換器１７には、温水導入管２６（熱媒供給管）から温水が供給され、温水導出管２７から温水が導出される。
【００３２】
温水導入管２６の始端には導入継手２８を介して図外の給湯装置から延びる給湯往き管２９が接続される。温水導出管２７の終端には導出継手３０を介して図外の給湯装置から延びる給湯戻り管３１が接続される。
【００３３】
温水導入管２６には、分岐部３２を介して暖房用導入管３３（暖房用熱媒管）が接続されている。温水導出管２７には、合流部３４を介して暖房用導出管３５が接続されている。暖房用導入管３３と暖房用導出管３５とは、後述する暖房用熱交換器３６に接続されている。
【００３４】
筐体２内部には、暖房用熱交換器３６と、温風ファン３７（暖房用ファン装置）とが設けられている。暖房用熱交換器３６は、回転ドラム７の下方に位置し、衣類乾燥用熱交換器１７に隣接して設けられている。
【００３５】
筐体２の底面には乾燥用空気取り入れ口１６に隣接して暖房用空気取り入れ口３８が形成されている。更に、筐体２の底面には、暖房用熱交換器３６により加熱された空気の吹き出し口３９が形成されている。
【００３６】
温風ファン３７は、その回転により、暖房用空気取り入れ口３８から外気を暖房用空気として取り込むと共に、暖房用熱交換器３６によって加熱された暖房用空気を吹き出し口３９から室内に送出する。
【００３７】
暖房用熱交換器３６と温風ファン３７とは、暖房用空気取り入れ口３８を上流端とし吹き出し口３９を下流端とする暖房用空気路４０の内部に配設されている。暖房用空気路４０と回転ドラム７内を含む衣類乾燥用空気路２５とは、一部が隣接しているが、互いに連通しておらず隔離されており、暖房用空気と衣類乾燥用空気とが混ざり合うことはない。
【００３８】
乾燥用空気取り入れ口１６と、暖房用空気取り入れ口３８と、吹き出し口３９とは、１つのフィルタ部材４によって覆われている。図１に示すように、フィルタ部材４は、筐体２底部に取り付けられており、前方に引っ張ることでスライドさせて着脱可能となっている。フィルタ部材４は、通気自在の取り入れ口用開口部４１（暖房用開口部４１ａ，乾燥用開口部４１ｂ）と、下方に張り出す案内部４２とを備えている。
【００３９】
また、フィルタ部材４には、図３に一部を示すように、取り入れ口用開口部４１を覆うようにして捕捉材４３が取り付けられている。捕捉材４３は、外気に混入している塵埃等を補足して乾燥用空気や暖房用空気から塵埃を除去する。
【００４０】
案内部４２は、図３に示すように、吹き出し口３９に対応する位置に設けられており、吹き出し口３９から送出される暖房用空気を前方の斜め下方に案内する。これによれば、例えば、暖房用空気を天井から下方に吹き出す場合に比べて、容易に暖房用空気を床面近くに到達させることができ、暖房効率が向上する。
【００４１】
更に、衣類乾燥機１を図示しない設置台上に設置するときにも、案内部４２に案内された暖房用空気の流れは筐体２の底面に対向する設置台の上面に向くことが抑制され、室内へ良好に送出されて暖房効率の低下が防止される。
【００４２】
また、衣類乾燥用熱交換器１７及び暖房用熱交換器３６には、温水導入管２６の始端に設けられた導入継手２８を介して接続された単一の給湯往き管２９から温水が供給される。温水導入管２６の温水は分岐部３２によって、温水導入管２６と暖房用導入管３３とに分流される。
【００４３】
分岐部３２の下流側の温水導入管２６には、熱動弁等の乾燥用弁装置４４が介設されており、暖房用導入管３３には、熱動弁等の暖房用弁装置４５が介設されている。乾燥用弁装置４４と暖房用弁装置４５とは夫々、コントローラ２０により制御される。
【００４４】
ここで、本実施形態の衣類乾燥機による衣類乾燥運転と暖房運転とについて説明する。コントローラ２０は、図４に示すように、衣類乾燥運転制御部４６と暖房運転制御部４７とを機能的に備えている。衣類乾燥運転制御部４６は、衣類乾燥時間が設定された乾燥タイマ４８を備えており、暖房運転制御部４７は、暖房時間が設定された暖房タイマ４９を備えている。
【００４５】
衣類乾燥運転制御部４６には、乾燥運転スイッチ５０（図２参照）の操作信号（ＯＮ／ＯＦＦ信号）が入力され、これに応じて衣類乾燥運転制御部４６は、乾燥用弁装置４４及び乾燥モータ１８を制御する。暖房運転制御部４７には、暖房運転スイッチ５１（図２参照）の操作信号（ＯＮ／ＯＦＦ信号）が入力され、これに応じて暖房運転制御部４７は、暖房用弁装置４５及び温風ファン３７を制御する。
【００４６】
即ち、乾燥運転スイッチ５０をＯＮ操作して衣類乾燥運転を開始すると、衣類乾燥運転制御部４６は、乾燥用弁装置４４を開弁させて温水を衣類乾燥用熱交換器１７へ供給する。次いで、衣類乾燥運転制御部４６は、乾燥モータ１８を作動させ、回転ドラム７と排湿ファン１５とを回転させる。これにより、回転ドラム７内の衣類は回転しながら供給される乾燥用空気により乾燥され、衣類から生じた湿気は排湿ファン１５によって筐体２外（例えば屋外）へ排出される。
【００４７】
衣類乾燥運転は、通常、予め衣類の乾燥時間をセットした乾燥タイマ４８のタイプアップにより停止する。乾燥タイマ４８がタイプアップすると、衣類乾燥運転制御部４６は、乾燥運転スイッチ５０のＯＦＦ操作がなくても乾燥用弁装置４４及び乾燥モータ１８を停止させ、衣類乾燥運転を終了させる。乾燥運転スイッチ５０のＯＦＦ操作を行うことによっても、衣類乾燥運転制御部４６は、乾燥用弁装置４４及び乾燥モータ１８を停止させるので、衣類乾燥運転を終了させることができる。
【００４８】
また、暖房運転スイッチ５１をＯＮ操作して暖房運転を開始すると、暖房運転制御部４７は、暖房用弁装置４５を開弁させて温水を暖房用熱交換器３６へ供給し、温風ファン３７を作動させる。これにより、暖房用熱交換器３６によって加熱された暖房用空気は室内に送出される。
【００４９】
暖房運転は、予め暖房時間をセットした暖房タイマ４９のタイプアップにより停止し、或いは、暖房運転スイッチ５１のＯＦＦ操作を行うことにより停止する。暖房タイマ４９がタイプアップすると、暖房運転制御部４７は、暖房用弁装置４５及び温風ファン３７を停止させ、暖房運転を終了させる。暖房運転スイッチ５１をＯＦＦ操作した時には、その時点で暖房運転制御部４７は、暖房用弁装置４５及び温風ファン３７を停止させて暖房運転を終了させる。
【００５０】
このように、衣類乾燥運転制御部４６と暖房運転制御部４７とは、互いに影響を受けることなく夫々独立して衣類乾燥運転制御と暖房運転制御とを実行する。従って、衣類乾燥運転と暖房運転とのうち何れか一方のみを所望に応じて行うことができ、衣類乾燥運転と暖房運転とを同時に行うこともできる。
【００５１】
なお、本実施形態においては、衣類乾燥室として回転ドラム７を採用したが、これに限るものではない。また、本実施形態においては、回転ドラム７と排湿ファン１５とを単一のモータ（乾燥モータ１８）で駆動しているが、これに限らず、回転ドラムと排湿ファンとを夫々独立したモータで回転駆動してもよい。また、衣類乾燥用熱交換器１７と暖房用熱交換器３６とは温水を熱媒とした例を示したが、これに限らず、他の熱媒を用いてもよい。
【００５２】
また、本実施形態においては、各タイマ（乾燥タイマ４８、暖房タイマ４９）のタイムアップによって衣類乾燥運転や暖房運転を終了させる例を示したが、これに限るものではない。例えば、温度センサや湿度センサの検出値が設定値に達したときに衣類乾燥運転や暖房運転を終了させてもよい。
【符号の説明】
【００５３】
Ｗ…衣類、１…衣類乾燥機、２…筐体、３…脚部材（脚部）、４…フィルタ部材、７…回転ドラム（衣類乾燥室）、１５…排湿ファン（衣類乾燥用ファン装置）、１６…乾燥用空気取り入れ口、１７…衣類乾燥用熱交換器、２６…温水導入管（熱媒供給管）、３３…暖房用導入管（暖房用熱媒管）、３６…暖房用熱交換器、３７…温風ファン（暖房用ファン装置）、３８…暖房用空気取り入れ口、３９…吹き出し口、４２…案内部。
【図１】
2020028642.tif 000003
【図２】
2020028642.tif 000004
【図３】
2020028642.tif 000005
【図４】
2020028642.tif 000006